【事件の表示】
　特許第３３６６６１０号「廃棄物処理方法及び装置」の請求項１ないし８に係る特許に対する特許異議の申立てについて、次のとおり決定する。
【結　論】
　訂正を認める。
　特許第３３６６６１０号の訂正後の請求項１ないし４に係る特許を維持する。
【理　由】
１．手続の経緯
　特許３３６６６１０号の請求項１〜８に係る発明についての出願は、平成１２年１月２０日の出願であって、平成１４年１１月１日にその発明について特許権の設定登録がなされ、その後、その特許について、特許異議申立人　木平ゆう子（以下、「申立人」という）より特許異議の申立てがなされた。そして、当審において取消理由通知がなされ、その指定期間内の平成１６年２月９日に訂正請求書及び特許異議意見書が提出された。これに対し、当審において申立人に審尋がなされ、平成１６年４月２３日に回答書が提出された。
２．訂正の適否
（１）訂正の内容
　本件訂正の内容は、本件特許明細書を訂正請求書に添付された訂正明細書のとおりに、すなわち訂正事項ａ〜ｋのとおりに訂正しようとするものである。
訂正事項ａ
　特許明細書の【特許請求の範囲】を次のとおりに訂正する。
「【請求項１】廃棄物焼却施設の湿式洗煙装置の洗煙排水処理により発生する、ダイオキシン類や水銀などの有害成分を含む洗煙排水汚泥を含む排水に、キレート剤を添加して汚泥中の水銀と反応させるとともに凝集・沈殿させ、ついで、沈殿した汚泥を抜き出し、この汚泥を１２０〜２５０℃の範囲で加熱処理し汚泥から水銀を揮散させ、揮散した水銀を乾式水銀捕集剤により吸着・捕集し、加熱処理後の乾燥汚泥を焼却炉に戻して汚泥に含まれるダイオキシン類を分解することを特徴とする廃棄物処理方法。
【請求項２】水銀除去後の汚泥を焼却炉へ投入する代りに、水銀除去後の汚泥を溶融炉又は／及び加熱脱塩素化装置へ投入する請求項１記載の廃棄物焼却方法。
【請求項３】乾式水銀捕集剤として、活性炭、イオウ含浸活性炭、よう化カリウム含浸活性炭、よう化カリウム・イオウ含浸活性炭、硫化銅、硫化銀、硫化鉄などの金属硫化物のペレット又はハニカム成形体の少なくともいずれかを用いる請求項１又は２記載の廃棄物処理方法。
【請求項４】廃棄物を焼却処理する焼却炉と、この焼却炉からの排ガスの熱を回収し排ガスを冷却するガス冷却設備と、このガス冷却設備からの排ガス中のダストを除去する集塵装置と、この集塵装置からの排ガスを導入し洗浄液と接触させて排ガス中のＨＣｌ、ＳＯｘなどの有害成分を除去する湿式洗煙装置とを備えた廃棄物処理装置において、湿式洗煙装置からのダイオキシン類や水銀などの有害成分、汚泥を含む排水にキレート剤を添加して水銀と反応させるとともに凝集・沈殿させるための反応・凝集・沈殿槽と、この沈殿槽から抜き出した汚泥をダイオキシン類の揮散温度よりも低温域で加熱処理して汚泥中の水銀のみを揮散させるための加熱装置と、この加熱装置からの汚泥を焼却炉に戻すための汚泥返送手段と、加熱装置からの揮散した水銀を含む排ガスを導入し水銀を吸着・捕集するための乾式水銀捕集装置とを設けたことを特徴とする廃棄物処理装置。
訂正事項ｂ
　特許明細書の段落【０００１】を次のとおりに訂正する。
「【発明の属する技術分野】　本発明は、ダイオキシン類及び水銀を含む汚泥の廃棄物の処理方法及び装置、詳しくは、ごみなどの廃棄物の焼却施設の湿式洗煙排水処理により発生する洗煙排水汚泥を無害化処理する方法及び装置に関するものである。」
訂正事項ｃ
　特許明細書の段落【０００３】を次のとおりに訂正する。
「汚泥中のダイオキシン類の除去方法として、特開平１１−３０９４９７号公報には、汚泥中のダイオキシン類を超音波照射によって有機溶媒中に抽出し、この有機溶媒を汚泥より分離して再使用し、ダイオキシン類が除去された汚泥を回収する方法が開示されている。　また、特開平１１−２９０８２４号公報には、焼却灰、煤塵、汚泥などの固体状廃棄物に、亜リン酸類及び／又は次亜リン酸類を含有する固体状廃棄物処理剤を添加し、１００〜１０００℃に加熱して固体状廃棄物を無害化する処理方法が記載されている。　なお、これらの公報には、汚泥に含まれる水銀を揮散させることについても、何も記載されていない。」
訂正事項ｄ
　特許明細書の段落【０００６】の「上記点を解決するために、本発明者は種々の研究を重ね、湿式洗煙排水汚泥中の水銀は１２０〜２５０℃、望ましくは１５０〜２５０℃程度でその大部分が揮散することを見出した。」を「上記点を解決するために、本発明者は種々の研究を重ね、キレート剤が添加された湿式洗煙排水汚泥中の水銀は１２０〜２５０℃、望ましくは１５０〜２５０℃程度でその大部分が揮散することを見出した。」と訂正する。
訂正事項ｅ
　特許明細書の段落【０００８】を次のとおりに訂正する。
「本発明は上記のように、湿式洗煙排水汚泥を低温で加熱処理することにより、水銀のみが除去されることに着目してなされたものであり、本発明の目的は、ダイオキシン類、水銀などの有害成分を含む湿式洗煙排水汚泥を１２０〜２５０℃の範囲の低温で加熱することにより、水銀のみを揮散させ、乾式水銀捕集剤によりこの揮散した水銀を捕集し、さらに、乾燥汚泥を再度、焼却炉に投入することにより、系内での水銀の濃縮の問題が生じることなく、ダイオキシン類を完全に分解することが可能な廃棄物処理方法及び装置を提供することにある。」
訂正事項ｆ
　特許明細書の段落【０００９】を次のとおりに訂正する。
「また、ダイオキシン類、水銀などの有害成分を含む廃棄物焼却灰及び／又はバグフィルタや電気集塵機の捕集飛灰を１２０〜３００℃の範囲の低温で加熱することにより、水銀のみを揮散させ、乾式水銀捕集剤によりこの揮散した水銀を捕集し、水銀除去後の廃棄物焼却灰及び／又は捕集飛灰を高温で加熱処理してダイオキシン類を完全に分解することが可能な廃棄物処理方法及び装置を提供することができる。」
訂正事項ｇ
　特許明細書の段落【００１０】を次のとおりに訂正する。。
「【課題を解決するための手段】　上記の目的を達成するために、本発明の廃棄物処理方法は、廃棄物焼却施設の湿式洗煙装置の洗煙排水処理により発生する、ダイオキシン類や水銀などの有害成分を含む洗煙排水汚泥を含む排水に、キレート剤を添加して汚泥中の水銀と反応させるとともに凝集・沈殿させ、ついで、沈殿した汚泥を抜き出し、この汚泥を１２０〜２５０℃の範囲で加熱処理し汚泥から水銀を揮散させ、揮散した水銀を乾式水銀捕集剤により吸着・捕集し、加熱処理後の乾燥汚泥を焼却炉に戻して汚泥に含まれるダイオキシン類を分解するように構成されている。」
訂正事項ｈ
　特許明細書の段落【００１１】を次のとおりに訂正する。
「また、廃棄物処理方法として、廃棄物焼却施設で発生するダイオキシン類や水銀などの有害成分を含む廃棄物焼却灰、及び／又はダイオキシン類や水銀などの有害成分を含む集塵装置飛灰を、１２０〜３００℃の範囲、望ましくは２００〜３００℃の範囲で加熱処理し灰から水銀を揮散させ、揮散した水銀を乾式水銀捕集剤により吸着・捕集し、加熱処理後の灰を加熱脱塩素化装置へ投入し３００〜５５０℃の範囲、望ましくは３２５〜５００℃の範囲、さらに望ましくは３５０〜４００℃の範囲で加熱処理して灰に含まれるダイオキシン類を分解することもある（図２参照）。」
訂正事項ｉ
　特許明細書の段落【００１３】を次のとおりに訂正する。
「さらに、廃棄物処理方法として、廃棄物焼却施設の湿式洗煙装置の洗煙排水処理により発生する、ダイオキシン類や水銀などの有害成分を含む洗煙排水汚泥、並びに廃棄物焼却で発生するダイオキシン類や水銀などの有害成分を含む廃棄物焼却灰及び／又はダイオキシン類や水銀などの有害成分を含む集塵装置捕集飛灰を、１２０〜３００℃の範囲、望ましくは２００〜３００℃の範囲で加熱処理し灰から水銀を揮散させ、揮散した水銀を乾式水銀捕集剤により吸着・捕集し、加熱処理後の灰を加熱脱塩素化装置へ投入し３００〜５５０℃の範囲、望ましくは３２５〜５００℃の範囲、さらに望ましくは３５０〜４００℃の範囲で加熱処理して灰に含まれるダイオキシン類を分解することもある（図３参照）。」
訂正事項ｊ
　特許明細書の【００１６】を次のとおりに訂正する。
「本発明の廃棄物処理装置は、廃棄物を焼却処理する焼却炉と、この焼却炉からの排ガスの熱を回収し排ガスを冷却するガス冷却設備と、このガス冷却設備からの排ガス中のダストを除去する集塵装置と、この集塵装置からの排ガスを導入し洗浄液と接触させて排ガス中のＨＣｌ、ＳＯｘなどの有害成分を除去する湿式洗煙装置とを備えた廃棄物処理装置において、湿式洗煙装置からのダイオキシン類や水銀などの有害成分、汚泥を含む排水にキレート剤を添加して水銀と反応させるとともに凝集・沈殿させるための反応・凝集・沈殿槽と、この沈殿槽から抜き出した汚泥をダイオキシン類の揮散温度よりも低温域で加熱処理して汚泥中の水銀のみを揮散させるための加熱装置と、この加熱装置からの汚泥を焼却炉に戻すための汚泥返送手段と、加熱装置からの揮散した水銀を含む排ガスを導入し水銀を吸着・捕集するための乾式水銀捕集装置とを設けたことを特徴としている（図１参照）。キレート剤としては、ジチオカルバミン酸型キレート剤、チオ尿素酸型キレート剤、ポリアミン型キレート剤、イミノ２酢酸型キレート剤、ピロリジン型キレート剤、イミン型キレート剤などの液体キレート剤が用いられる。なお、固体キレート剤を用いることも可能である。」
訂正事項ｋ
　特許明細書の段落【００１７】を次のとおりに訂正する。
「また、廃棄物処理装置として、廃棄物を焼却処理する焼却炉と、この焼却炉からの排ガスの熱を回収し排ガスを冷却するガス冷却設備と、このガス冷却設備からの排ガス中のダストを除去する集塵装置と、この集塵装置からの排ガスを導入し洗浄液と接触させて排ガス中のＨＣｌ、ＳＯｘなどの有害成分を除去する湿式洗煙装置とを備えた廃棄物処理装置において、焼却炉からの廃棄物焼却灰及び／又は集塵装置からの捕集飛灰を加熱処理して灰中の水銀を揮散させるための加熱装置と、この加熱装置からの灰を加熱して灰中のダイオキシン類を分解するための加熱脱塩素化装置と、加熱装置からの揮散した水銀を含む排ガスを導入し水銀を吸着・捕集するための乾式水銀捕集装置とを設ける構成とすることもある（図２参照）。」
訂正事項ｌ
　特許明細書の段落【００１８】を次のとおりに訂正する。
「さらに、廃棄物処理装置として、廃棄物を焼却処理する焼却炉と、この焼却炉からの排ガスの熱を回収し排ガスを冷却するガス冷却設備と、このガス冷却設備からの排ガス中のダストを除去する集塵装置と、この集塵装置からの排ガスを導入し洗浄液と接触させて排ガス中のＨＣｌ、ＳＯｘなどの有害成分を除去する湿式洗煙装置とを備えた廃棄物処理装置において、湿式洗煙装置からの汚泥を含む排水にキレート剤を添加して水銀と反応させるとともに凝集・沈殿させるための反応・凝集・沈殿槽と、この沈殿槽から抜き出した汚泥、並びに焼却炉からの廃棄物焼却灰及び／又は集塵装置からの捕集飛灰を加熱処理して汚泥及び灰中の水銀を揮散させるための加熱装置と、この加熱装置からの汚泥及び灰を加熱して灰中のダイオキシン類を分解するための加熱脱塩素化装置と、加熱装置からの揮散した水銀を含む排ガスを導入し水銀を吸着・捕集するための乾式水銀捕集装置とを設ける構成とすることもある（図３参照）」
訂正事項ｍ
　特許明細書の段落【００２３】を次のとおりに訂正する。
「図２は廃棄物処理装置の他の例を示している。１０は廃棄物焼却炉、１２はガス冷却設備、１４は集塵装置、１６は湿式洗煙装置で、実施の第１形態（図１）と同じ構成である。焼却炉１０からの廃棄物焼却灰及び／又は集塵装置１４からの捕集飛灰は、灰ホッパ３８に一旦貯留された後、加熱装置３０ａに導入され、ここで、１２０〜３００℃の範囲、望ましくは２００〜３００℃の範囲で加熱処理される。この時、灰から水銀が揮散する。加熱装置３０ａからの揮散した水銀を含む排ガスは乾式水銀捕集装置３２に導入され、乾式水銀捕集剤に吸着されて除去され、清浄な排ガスが排出される。加熱装置３０ａからの灰は加熱脱塩素化装置４０に投入され、３００〜５５０℃の範囲、望ましくは３２５〜５００℃の範囲、さらに望ましくは３５０〜４００℃の範囲で加熱処理されてダイオキシン類が分解される。加熱脱塩素化装置４０からの灰は廃棄処分される。なお、図２において、鎖線で囲まれた部分は本例の要部を示している。他の構成及び作用は実施の第１形態の場合と同様である。」
訂正事項ｎ
　特許明細書の段落【００２４】を次のとおりに訂正する。
「図３は廃棄物処理装置のさらに他の例を示している。１０は廃棄物焼却炉、１２はガス冷却設備、１４は集塵装置、１６は湿式洗煙装置、１８は排水受槽、２０は反応凝集槽、２２は沈殿槽、２４はろ過器、２６はキレート樹脂塔、２８は汚泥貯槽で、実施の第１形態（図１）と同じ構成である。また、３８は灰ホッパ、３０ａは加熱装置、３２は乾式水銀捕集装置、４０は加熱脱塩素化装置で、図２の場合と同じ構成である。」
訂正事項ｏ
　特許明細書の段落【００２５】を次のとおりに訂正する。
「汚泥貯槽２８からの汚泥、及び灰ホッパ３８からの灰が加熱装置３０ａに導入され、ここで、１２０〜３００℃の範囲、望ましくは２００〜３００℃の範囲で加熱処理される。この時、汚泥及び灰から水銀が揮散する。加熱装置３０ａからの揮散した水銀を含む排ガスは乾式水銀捕集装置３２に導入され、乾式水銀捕集剤に吸着されて除去され、清浄な排ガスが排出される。加熱装置３０ａからの汚泥及び灰は加熱脱塩素化装置４０に投入され、３００〜５５０℃の範囲、望ましくは３２５〜５００℃の範囲、さらに望ましくは３５０〜４００℃の範囲で加熱処理されてダイオキシン類が分解される。加熱脱塩素化装置４０からの固形物は廃棄処分される。なお、図３において、鎖線で囲まれた部分は本例の要部を示している。他の構成及び作用は実施の第１形態及び図２の場合と同様である。」
訂正事項ｐ
　特許明細書の段落【００３０】【発明の効果】を次のとおりに訂正する。
「本発明は上記のように構成されているので、つぎのような効果を奏する。（１）ダイオキシン類、水銀などの有害成分を含む湿式洗煙排水汚泥を含む排水に、キレート剤を添加して汚泥中の水銀と反応させるとともに凝集・沈殿させ、ついで、沈殿した汚泥を２００℃前後の低温で加熱することにより、水銀を揮散させ、乾式水銀捕集剤によりこの揮散した水銀を回収し、さらに乾燥汚泥を焼却炉に投入することにより、炉内への水銀の濃縮の問題が生じることなく、ダイオキシン類を完全に分解し、水銀とダイオキシン類を含む汚泥をプラント内で処理することができる。」
訂正事項ｑ
　特許明細書の段落【００３０】【図面の簡単な説明】を次のとおりに訂正する。
「【図１】本発明の実施の第１形態による廃棄物処理装置の系統的概略構成図である。【図２】廃棄物処理装置の他の例の系統的概略構成図である。【図３】廃棄物処理装置のさらに他の例の系統的概略構成図である。【図４】湿式洗煙排水汚泥の温度に対する水銀揮散状態を示すグラフである。【図５】各種乾式水銀捕集剤の水銀捕集性能を示すグラフである。【図６】集塵装置捕集飛灰の温度に対する水銀揮散状態を示すグラフである。」
（２）訂正の目的の適否、新規事項の有無及び拡張・変更の存否
  訂正事項ａは、（ａ−１）請求項１において「水銀を揮散させ」るために「加熱処理」する「汚泥」を「洗煙排水汚泥を含む排水に、キレート剤を添加して汚泥中の水銀と反応させるとともに凝集・沈殿させ、ついで、沈殿した汚泥を抜き出し、この汚泥」に限定しまた、（ａ−２）訂正前の請求項２、請求項３、請求項７及び請求項８を削除し、これに伴い訂正前の請求項４〜６を夫々新たに請求項２〜４に繰り上げ、引用する請求項を対応させるべく改めるものであり、（ａ−３）訂正後の請求項４において「排水」を「汚泥」に加えて「ダイオキシン類や水銀などの有害成分」を含むものに限定し、「加熱処理」に関し「ダイオキシン類の揮散温度よりも低温域で加熱処理して汚泥中の水銀のみを揮散させる」と限定するものであるから、訂正事項ａは特許請求の範囲の減縮及び明りょうでない記載の釈明を目的とする訂正に該当する。また訂正事項ｂ〜ｑは、請求事項ａと整合を図るとともに特許請求の範囲の記載と整合を図り、明細書及び図面の記載の整合を図るものであるから、訂正事項ｂ〜ｑは明りょうでない記載の釈明を目的とする訂正に該当する。そして、上記訂正事項ａ〜ｋは、本件特許明細書の【特許請求の範囲】、段落【０００２】、【０００６】〜【００１０】、【００１６】、【００２１】、【００２２】に記載されるのであるから、訂正事項ａ〜ｑは願書に添付した明細書又は図面に記載した事項の範囲内の訂正であり、新規事項の追加に該当せず実質上特許請求の範囲を拡張し又は変更するものでもない。
（３）むすび
　したがって、上記訂正は、特許法第１２０条の４第２項及び同条第３項において準用する特許法第１２６条第２項から第４項の規定に適合するので、当該訂正を認める。
３．取消理由について
３−１．本件発明
　上記のとおり、訂正は認められるから、本件特許の訂正後の請求項１〜４に係る発明（以下「本件訂正発明１」〜「本件訂正発明４」という）は、訂正された特許明細書に記載された次のとおりのものである。
【請求項１】廃棄物焼却施設の湿式洗煙装置の洗煙排水処理により発生する、ダイオキシン類や水銀などの有害成分を含む洗煙排水汚泥を含む排水に、キレート剤を添加して汚泥中の水銀と反応させるとともに凝集・沈殿させ、ついで、沈殿した汚泥を抜き出し、この汚泥を１２０〜２５０℃の範囲で加熱処理し汚泥から水銀を揮散させ、揮散した水銀を乾式水銀捕集剤により吸着・捕集し、加熱処理後の乾燥汚泥を焼却炉に戻して汚泥に含まれるダイオキシン類を分解することを特徴とする廃棄物処理方法。
【請求項２】水銀除去後の汚泥を焼却炉へ投入する代りに、水銀除去後の汚泥を溶融炉又は／及び加熱脱塩素化装置へ投入する請求項１記載の廃棄物焼却方法。
【請求項３】乾式水銀捕集剤として、活性炭、イオウ含浸活性炭、よう化カリウム含浸活性炭、よう化カリウム・イオウ含浸活性炭、硫化銅、硫化銀、硫化鉄などの金属硫化物のペレット又はハニカム成形体の少なくともいずれかを用いる請求項１又は２記載の廃棄物処理方法。
【請求項４】廃棄物を焼却処理する焼却炉と、この焼却炉からの排ガスの熱を回収し排ガスを冷却するガス冷却設備と、このガス冷却設備からの排ガス中のダストを除去する集塵装置と、この集塵装置からの排ガスを導入し洗浄液と接触させて排ガス中のＨＣｌ、ＳＯｘなどの有害成分を除去する湿式洗煙装置とを備えた廃棄物処理装置において、湿式洗煙装置からのダイオキシン類や水銀などの有害成分、汚泥を含む排水にキレート剤を添加して水銀と反応させるとともに凝集・沈殿させるための反応・凝集・沈殿槽と、この沈殿槽から抜き出した汚泥をダイオキシン類の揮散温度よりも低温域で加熱処理して汚泥中の水銀のみを揮散させるための加熱装置と、この加熱装置からの汚泥を焼却炉に戻すための汚泥返送手段と、加熱装置からの揮散した水銀を含む排ガスを導入し水銀を吸着・捕集するための乾式水銀捕集装置とを設けたことを特徴とする廃棄物処理装置。
３−２．異議申立ての理由
（１）本件訂正前の請求項２、５に係る発明は、甲第１号証に記載された発明であるから、
特許法第２９条第１項第３号の規定により特許を受けることができない。
（２）本件訂正前の請求項１〜８に係る発明は、甲第１〜５号証に記載された発明に基づいて当業者が容易に発明をすることができたものであるから、特許法第２９条第２項の規定により特許を受けることができない。
（２）本件訂正前の請求項１〜５に記載される発明に関し、「１２０〜２５０℃の範囲で加熱処理をして水銀を揮散」あるいは「１２０〜３００℃の範囲で加熱処理をして水銀を揮散」とあるが、温度条件は明確でなく、また当業者が容易に実施できる程度に記載されていないから特許法第３６条４項及び第６項に規定する要件を満たしていない。
３−３．刊行物に記載された事項
　当審が通知した取消理由に引用された刊行物１〜５には、次の事項が記載されている。
（１）刊行物１：特開平７−１５５７２３号公報（申立人の提出した甲第１号証）
（ア）「【請求項１】ごみ焼却処理装置から回収される飛灰中に含まれるダイオキシン等の有機塩素化合物及び水銀を除去する際に、まず、水銀が揮散する温度以上で、ごみ焼却処理装置に付属するボイラ下部の燃焼排ガスの一部により飛灰を加熱することによって、水銀を除去する前処理を行い、次いでダイオキシンが分解する温度以上で、ボイラ下部の燃焼排ガスにより飛灰を加熱することによって、ダイオキシン類を分解することを特徴とするごみ焼却炉の飛灰処理方法。【請求項２】水銀の除去は２５０〜３５０℃の温度で加熱することを特徴とする請求項１に記載のごみ焼却炉飛灰処理方法。【請求項３】ダイオキシン等有機塩素化合物の分解は、４００〜６００℃で加熱することを特徴とする請求項１又は請求項２に記載のごみ焼却炉飛灰処理方法。」（【特許請求の範囲】）
（イ）「加熱処理終了後、飛灰を排出部より灰ピットに排出する。一方、前処理装置から排出された排ガスを活性炭等の水銀吸着装置によって１２０〜１８０℃の温度によって処理する。そして、水銀を除去した後、有害ガス除去装置の入口 煙道に戻される。・・・直接煙道に戻すことができる。」（段落【００２１】）
（ウ）図１には焼却処理設備の概要が示されている。
（２）刊行物２：特開昭６０−２３２２３５号公報（申立人が提示した甲第２号証）
（ア）「１　低沸点重金属含有廃棄物を含湿状態で直接通電式溶融処理炉に投入処理し、発生する排ガスを冷却して析出する低沸点重金属を回収し無害化することを特徴とする低沸点重金属含有廃棄物の直接通電式溶融処理炉から発生する排ガスの処理方法。」（特許請求の範囲請求項１）
（イ）「本発明は、・・・低沸点重金属類例えば、水銀を含む都市ゴミの焼却施設で集塵されたダストや、洗煙排水汚泥といった廃棄物を直接通電式溶融処理炉で処理する際に、・・・係わるものである。」（第１頁左右欄９〜１５行）
（ウ）「冷却基１４を出た排ガス１５は、吸着塔２０に導き、・・・無公害化し大気中に放散される。・・・・Ｈｇ吸着用活性炭、Ｈｇ吸着用キレート樹脂などが挙げられる。」（第４頁左上欄９〜１４行）
（３）刊行物３：特開平１１−２７０８１６号公報（申立人が提示した甲第３号証）
（ア）「図１は、本発明の実施の第１形態による溶融炉におけるダイオキシン類低減装置を示し、・・・ダイオキシン類・・を含む被溶融物、例えば、廃棄物ガス化炉の熱分解ガスから捕集された未燃灰、廃棄物燃焼灰、下水汚泥等を予熱バーナ３４により予燃焼させ・・・旋回溶融部２２に旋回流として導入され、灰分が溶融されスラグ化される。」（第５頁左欄６〜１７行）
（４）刊行物４：特開平７−３２３２１３号公報（申立人が提示した甲第４号証）
（ア）「まず、ごみ焼却設備全体の概略構成について説明する。すなわち、このごみ焼却設備は、ごみピット１と、ごみ焼却炉２と、・・・冷却を行う調湿塔４と、この調湿塔４から出た排ガスに反応助剤・・を添加する反応助剤添加装置５と、この反応助剤が添加されて生成した反応物質を飛灰とともに捕集する捕集装置であるバグフィルタ６と、このバグフィルタ６から出た排ガスを湿式洗浄する湿式洗浄装置７と、・・・煙突と、・・・バグフィルタ６で捕集された反応物質を含む飛灰（・・）を導き、この飛灰中における有害成分であるダイオキシン類を熱分解するための・・・熱分解装置（・・・）１２と、・・・ドレン水供給配管１６とから構成されている。」（段落【００１２】）
（５）刊行物５：特公昭６１−３０６３８号公報（申立人が提示した甲第５号証）
（ア）「塵芥焼却場では燃焼ガスをアルカリ吸収液によって洗煙するが、その結果、多種多様の重金属、とりわけ水銀を含有する洗煙廃水が発生する。」（第１頁左欄１２〜１５行）
（イ）「水銀を含有する廃水を脱炭酸したのち、凝集処理を行うが、凝集方法としては、ｐＨを９〜１０としたのち塩化第二鉄で凝集する、いわゆるアルカリ凝集沈殿法、または重金属固定剤を添加したのち、第二鉄化合物で凝集する方法が採用できる。後者の方法は、水銀を高度に除去できるので好ましい。重金属固定剤としては、・・・選択性重金属固定剤が使用できる。選択性重金属固定剤には、通常キレート能を有し、チオ尿素型、ジチオカルバミン酸基型のように窒素原子と硫黄原子でキレートを形成するもの、ジチオ酸基型、チオール基型のように２つの硫黄原子でキレートを形成するものがあるが、常温で液体であって、水に可溶性のものが好ましい。」（第１頁右欄２１行〜第２頁左欄１０行）
４．異議申立ての理由についての判断
４−１．異議申立ての理由（１）（２）について
　上記２．のとおり訂正は認められるから、訂正前の請求項２は削除されており、異議申立て理由（１）は解消されているので、訂正後の本件訂正発明１〜４について刊行物１〜５からの容易性について判断する。これは申立人の回答書での主張（第１頁２１〜２２行）にも合致するものである。
４−１−１．本件訂正発明１について
（１）一致点・相違点
　刊行物１の（ア）、（イ）の記載を本件発明の記載振りに則って整理すると、刊行物１には、「ごみ焼却処理装置から回収される飛灰を、水銀が揮散する２５０〜３５０℃の温度で加熱することによって、水銀を除去する前処理を行い、次いでダイオキシンが分解する４００〜６００℃の温度以上で、ボイラ下部の燃焼排ガスにより飛灰を加熱することによってダイオキシン類を分解するとともに、前処理装置から排出された排ガスを活性炭等の水銀吸着装置によって処理することを特徴とするごみ焼却炉の飛灰処理方法」の発明（以下、「刊行１発明」という。）が記載されているといえる。
　そこで、本件訂正発明１と刊行１発明を対比すると、刊行１発明の「活性炭等」は、本件訂正発明１の「乾式水銀捕集剤」に相当し、刊行１発明の「ボイラ下部の燃焼排ガスにより飛灰を加熱することによってダイオキシン類を分解し」から、「水銀を除去する前処理」後に、ボイラに戻しているとみれることから、両者は「加熱処理し水銀を揮散させ、揮散した水銀を乾式捕集剤により吸着・捕集し、加熱処理後焼却炉に戻してダイオキシン類を分解する」点で一致し、以下の点で相違する。
相違点（ｉ）：本件訂正発明１は「廃棄物焼却施設の湿式洗煙装置の洗煙排水処理により発生する、ダイオキシン類や水銀などの有害成分を含む洗煙排水汚泥を含む排水に、キレート剤を添加して汚泥中の水銀と反応させるとともに凝集・沈殿させ、ついで、沈殿した汚泥を抜き出し、この汚泥を１２０〜２５０℃の範囲で加熱処理し汚泥から水銀を揮散させ」ているのに対し、刊行１発明では「ごみ焼却処理装置から回収される飛灰を、水銀が揮散する２５０〜３５０℃の温度で加熱することによって、水銀を除去する前処理を行」っている点
相違点（ｉｉ）：本件訂正発明１は「加熱処理後の乾燥汚泥を焼却炉に戻して汚泥に含まれるダイオキシン類を分解する」のに対し、刊行１発明では「次いでダイオキシンが分解する４００〜６００℃の温度以上で、ボイラ下部の燃焼排ガスにより飛灰を加熱することによってダイオキシン類を分解する」点
　そこで、これら相違点（ｉ）（ｉｉ）を併せ、他の証拠に基づいて検討すると、
　刊行物２には、（イ）の「水銀を含む都市ゴミの焼却施設で集塵されたダストや、洗煙排水汚泥といった廃棄物を直接通電式溶融処理炉で処理する」という記載から、ダストや汚泥が溶融処理炉で処理されることが理解できる。また、刊行物３の（ア）の記載からも、未燃灰、燃焼灰或いは汚泥が予燃焼を経た後、ガス化炉に投入され処理されていることが記載されてるとみれる。しかしながら、刊行物２及び３には、本件訂正発明１の「洗煙排水汚泥を含む排水にキレート剤を添加して水銀と反応させるとともに凝集・沈殿させ、ついで、沈殿した汚泥を加熱処理する」という技術的事項については何ら記載されていない。しかも、被対象物として「飛灰」と「汚泥」とが、同じように溶融処理できるとしても、「水銀揮散」に関して同様の処理条件で処理ができるという根拠が明らかでない。また、刊行物４には、（ア）からみて「ごみ焼却設備において排ガスを湿式洗浄する湿式洗浄装置を備える」ことは記載されているといえるが、ダイオキシン類の熱分解は飛灰に対し行うものであるから、上記した本件訂正発明１の技術的事項については記載されているとはいえない。また、刊行物５には、（ア）（イ）から洗煙廃水処理に関し、「キレート能を有する重金属固定剤を添加したのち、第二鉄化合物で凝集する」ことが記載されているといえる。しかしながら、この重金属固定剤は水銀を高度に除去することにとどまり、凝集・沈殿した汚泥を加熱処理することについては記載も示唆もない。しかも、いずれの刊行物にも、本件訂正発明１の「湿式洗浄排水汚泥をキレート剤を添加することにより、２００℃前後の低温域で水銀を揮散できる」（本件特許明細書段落【０００６】【００３０】）という技術的意義を見出すことができない。
　そして、本件訂正発明１は、上記相違点に係る構成を採用することにより、明細書記載の効果を奏するものといえる。
　したがって、本件訂正発明１は、刊行物１〜５に記載の発明に基づいて当業者が容易に発明をすることができたものともすることはできない。
４−１−２．本件訂正発明２及び３について
　本件訂正発明２及び３は、本件訂正発明１を直接又は間接的に引用して、さらに限定するものであるから、本件訂正発明１と同じ理由により、本件訂正発明２及び３は、刊行物１〜５に記載の発明に基づいて当業者が容易に発明をすることができたものとすることはできない。
４−１−３．本件訂正発明４について
　本件訂正発明４は、本件訂正発明１の廃棄物処理方法を具現化するための装置に関するものであって、加熱処理について違いがみられるが、その他はカテゴリーの違いがあるにせよ実質的に同じであるとみれる。この加熱処理については、本件訂正発明１が「汚泥を１２０〜２５０℃の範囲で加熱処理」であるのに対し、本件訂正発明４が「汚泥をダイオキシン類の揮散温度よりも低温域で加熱処理」であるが、本件訂正発明４は本件訂正発明１と同様に「洗煙排水汚泥を含む排水にキレート剤を添加して水銀と反応させるとともに凝集・沈殿させ、ついで、沈殿した汚泥を加熱処理する」という技術的事項を有するものであるから、上記「４−１−１．本件訂正発明１について」でみたとおり、本件訂正発明４は、刊行物１〜５に記載の発明に基づいて当業者が容易に発明をすることができたものともすることはできない。
４−２．異議申立ての理由（３）について
　「１２０〜２５０℃の範囲で加熱処理をして水銀を揮散」について、申立人は概ね、キレート結合が切れるために低温領域で揮散する機構が明らかでなく、１２０℃の低温で揮散することは一般常識に反する旨主張しているが、本件特許明細書には段落【００２６】に試験例が記載され、各加熱温度での揮散水銀濃度を測定した結果の図４をみてみると、２００℃で最大揮散水銀濃度を示し、１１０℃でも揮散水銀濃度があることが分かるのであるから、温度条件について明確でないとも、当業者が容易に実施できる程度に記載がないとまではいえない。なお、回答書において、明細書の訂正が特許請求の範囲の解釈を複雑化するものである旨主張しているが、本件発明の実施態様から除外し参考例としての記載とみれるので、この主張が意味あるとまではいえない。
５．結論
　以上のとおりであるから、異議申立ての理由及び証拠によっては、本件訂正後の請求項１〜４に係る発明についての特許を取り消すことができない。
　また、他に本件訂正後の請求項１〜４に係る発明の特許を取り消すべき理由を発見しない。
  よって、結論のとおり決定する。
【異議決定日】
平成１７年２月１日（２００５．２．１）
【訂正の要旨】
審決（決定）の【理由】欄参照。
（５４）【発明の名称】
廃棄物処理方法及び装置
（５７）【特許請求の範囲】
　【請求項１】　廃棄物焼却施設の湿式洗煙装置の洗煙排水処理により発生する、ダイオキシン類や水銀などの有害成分を含む洗煙排水汚泥を
含む排水に、キレート剤を添加して汚泥中の水銀と反応させるとともに凝集・沈殿させ、ついで、沈殿した汚泥を抜き出し、この汚泥を
。
　【請求項
２
　【請求項
３
１又は２
　【請求項
４
　湿式洗煙装置からの
ダイオキシン類や水銀などの有害成分、
ダイオキシン類の揮散温度よりも低温域で
のみ
。
【発明の詳細な説明】
　【０００１】
　【発明の属する技術分野】
　本発明は、ダイオキシン類及び水銀を含む汚
泥の
泥を
　【０００２】
　【従来の技術】
　廃棄物焼却施設、例えば、ごみ焼却施設において、排ガス処理として湿式洗煙法を用いた場合、排ガス中のダイオキシン類や水銀などの有害成分は洗煙排水中に移行する。さらに、この洗煙排水は、凝集沈殿、ろ過、キレート剤添加などの処理を経て下水に放流される。この際に発生する汚泥中には、元々、排ガス中に含まれていたダイオキシン類や水銀などの有害成分が移行しており、従来は埋立処分されていた。
　【０００３】
　汚泥中のダイオキシン類の除去方法として、特開平１１−３０９４９７号公報には、汚泥中のダイオキシン類を超音波照射によって有機溶媒中に抽出し、この有機溶媒を汚泥より分離して再使用し、ダイオキシン類が除去された汚泥を回収する方法が開示されている。
　また、特開平１１−２９０８２４号公報には、焼却灰、煤塵、汚泥などの固体状廃棄物に、亜リン酸類及び／又は次亜リン酸類を含有する固体状廃棄物処理剤を添加し、１００〜１０００℃に加熱して固体状廃棄物を無害化する処理方法が記載されている。
　なお、これらの公報には、汚
泥に
　【０００４】
　【発明が解決しようとする課題】
　前記の湿式洗煙排水汚泥中のダイオキシン類の処理方法として、排水処理汚泥を再度、焼却炉に投入し、高温によりダイオキシン類を分解する方式を用いた場合は、同時に水銀は再揮散し系内で高濃度に濃縮されることが予想され、炉内で汚泥を焼却処分することはできない。
　また、加熱脱塩素化法や超臨界水による分解などの適用が検討されているが、いずれも同時に水銀の処理ができるものではなく、また装置的にも大規模なものとなる。
　【０００５】
　ごみ焼却施設において、排ガス処理工程から出てくる廃棄物焼却灰や、バグフィルタ又は電気集塵機の捕集飛灰についても、元々、排ガス中に含まれていたダイオキシン類や水銀などの有害成分が移行しており、上記の汚泥と同様、水銀及びダイオキシン類の処理が課題となっている。
　【０００６】
　上記の点を解決するために、本発明者は種々の研究を重ね、
キレート剤が添加された
　【０００７】
　また、本発明者は、廃棄物焼却灰や、バグフィルタ又は電気集塵機の捕集飛灰中の水銀は、湿式洗煙排水汚泥中の水銀よりも揮散温度が５０℃程度高温化するが（キレート剤が添加されていないためと考えられる）、ダイオキシン類の揮散温度よりも低温側で揮散することを見出した。
　【０００８】
　本発明は上記のように、湿式洗煙排水汚
泥を
　【０００９】
　ま
た、ダ
もできる。
　【００１０】
　【課題を解決するための手段】
　上記の目的を達成するために、本発明の廃棄物処理方法は、廃棄物焼却施設の湿式洗煙装置の洗煙排水処理により発生する、ダイオキシン類や水銀などの有害成分を含む洗煙排水汚泥を
含む排水に、キレート剤を添加して汚泥中の水銀と反応させるとともに凝集・沈殿させ、ついで、沈殿した汚泥を抜き出し、この汚泥を
　【００１１】
　ま
た、廃
として、
もある
　【００１２】
　加熱脱塩素化装置としては、現在、焼却灰中のダイオキシン類分解技術として実用性の高い加熱脱塩素化装置が用いられ、この装置において、その熱分解温度は３００〜５５０℃、望ましくは３２５〜５００℃、さらに望ましくは３５０〜４００℃であるが、この熱分解段階の前段に低温の水銀揮散段階を設け、水銀のみを揮散させ、乾式水銀捕集剤により水銀を捕集することにより、捕集飛灰の処理用、又は湿式洗煙排水汚泥の処理用としても利用することができる。
　【００１３】
　さら
に、廃
として、
もある
　【００１４】
　上記の廃棄物処理方法において、水銀除去後の汚泥を焼却炉へ投入する代りに、水銀除去後の汚泥を溶融炉又は／及び加熱脱塩素化装置へ投入して処理することも可能である。
　また、揮散した水銀の捕集方法として、乾式水銀捕集剤により吸着・捕集する方法を採用することが好ましい。この場合、乾式水銀捕集剤として、活性炭、イオウ含浸活性炭、よう化カリウム含浸活性炭、よう化カリウム・イオウ含浸活性炭、硫化銅、硫化銀、硫化鉄などの金属硫化物のペレット又はハニカム成形体の少なくともいずれかを用いることが好ましい。
　活性炭、イオウ含浸活性炭、よう化カリウム含浸活性炭、よう化カリウム・イオウ含浸活性炭（よう化カリウム及びイオウを含浸させた活性炭）は通常、粒状のものが用いられ、硫化銅、硫化銀、硫化鉄などの金属硫化物はペレット又はハニカム成形体が用いられる。よう化カリウム・イオウ含浸活性炭の各成分の含有割合は、イオウ、よう化カリウムとも１．０〜３０ｗｔ％程度、望ましくは５〜２０ｗｔ％程度である。
　【００１５】
　また、揮散した水銀を乾式水銀捕集剤により吸着・捕集する代りに、揮散した水銀を含む排ガスを冷却ドレン化させる方法、又は／及び揮散した水銀を含む排ガスを別系統の排ガス処理装置へ移送して処理する方法を用いることも可能である。
　【００１６】
　本発明の廃棄物処理装置は、廃棄物を焼却処理する焼却炉と、この焼却炉からの排ガスの熱を回収し排ガスを冷却するガス冷却設備と、このガス冷却設備からの排ガス中のダストを除去する集塵装置と、この集塵装置からの排ガスを導入し洗浄液と接触させて排ガス中のＨＣｌ、ＳＯＸなどの有害成分を除去する湿式洗煙装置とを備えた廃棄物処理装置において、湿式洗煙装置からの
ダイオキシン類や水銀などの有害成分、
ダイオキシン類の揮散温度よりも低温域で
のみ
　キレート剤としては、ジチオカルバミン酸型キレート剤、チオ尿素酸型キレート剤、ポリアミン型キレート剤、イミノ２酢酸型キレート剤、ピロリジン型キレート剤、イミン型キレート剤などの液体キレート剤が用いられる。なお、固体キレート剤を用いることも可能である。
　【００１７】
　ま
た、廃
として、
る構成とすることもある（
　【００１８】
　さら
に、廃
として、
る構成とすることもある
　【００１９】
　【発明の実施の形態】
　以下、本発明の実施の形態について説明するが、本発明は下記の実施の形態に何ら限定されるものではなく、適宜変更して実施することができるものである。
　図１は本発明の実施の第１形態による廃棄物処理装置を示している。都市ごみなどの廃棄物が廃棄物焼却炉１０に投入されて焼却される。焼却炉１０としては流動床式、ストーカ式の炉が用いられる。焼却炉１０からの排ガスは、例えば、ボイラ及び減温塔からなるガス冷却設備１２に導入され、ボイラで排ガスの顕熱が回収され蒸気（スチーム）を発生させて排ガスが冷却された後、さらに減温塔で水スプレーなどにより減温される。集塵装置上流では消石灰、活性炭が添加される。
　【００２０】
　ガス冷却設備１２からの排ガスは、バグフィルタ、電気集塵機などの集塵装置１４に導入され、ここで飛灰、反応生成物、未反応消石灰、未反応活性炭などのダスト（以下、単に飛灰と記す）が捕集される。集塵装置１４からの排ガスは湿式洗煙装置１６に導入され、ここで、洗浄液、例えば苛性ソーダ水溶液と接触して、排ガス中のＨＣｌ、ＳＯＸ及び水銀が除去される。
　湿式洗煙装置１６からの排ガスにアンモニアが添加され、触媒反応器（図示略）に導入されて、排ガス中のＮＯＸが除去された後、煙突（図示略）から排出される。
　【００２１】
　湿式洗煙装置１６で分離された汚泥（スラッジ）を含む排水は、排水受槽１８に一旦貯留された後、反応凝集槽２０に送られ、液体キレート剤が添加されて水銀と反応し、汚泥及び反応物が凝集する。反応凝集槽２０からの液は沈殿槽２２に送られ、ここで汚泥及び反応物（以下、単に汚泥と記す）が沈殿する。沈殿槽２２の上澄水はろ過器２４でろ過された後、キレート樹脂塔２６で微量の水銀が除去された後、放流される。
　【００２２】
　沈殿槽２２で分離されたダイオキシン類及び水銀を含む汚泥は、汚泥貯槽２８に一旦貯留された後、加熱装置３０に導入され、ここで、１２０〜２５０℃の範囲、望ましくは１５０〜２５０℃の範囲で加熱処理される。液体キレートの分解温度は２００℃程度の低温であり、上記の低温域で汚泥から水銀が揮散する。加熱装置３０からの揮散した水銀を含む排ガスは乾式水銀捕集装置３２に導入され、乾式水銀捕集剤に吸着・捕集され、清浄な排ガスが排出される。加熱装置３０からの汚泥は汚泥ホッパ３４に一旦貯留された後、汚泥返送手段３６により焼却炉１０に投入され、ここでダイオキシン類が分解される。
　本実施形態では、反応・凝集・沈殿槽として、反応凝集槽２０と沈殿槽２２とを分離して設ける場合について説明したが、二つの槽を一つに結合させて、一つの反応・凝集・沈殿槽とすることも可能である。
　なお、図１において、鎖線で囲まれた部分は本実施形態の要部を示している。
　【００２３】
　図２
は廃
の他の例
　焼却炉１０からの廃棄物焼却灰及び／又は集塵装置１４からの捕集飛灰は、灰ホッパ３８に一旦貯留された後、加熱装置３０ａに導入され、ここで、１２０〜３００℃の範囲、望ましくは２００〜３００℃の範囲で加熱処理される。この時、灰から水銀が揮散する。加熱装置３０ａからの揮散した水銀を含む排ガスは乾式水銀捕集装置３２に導入され、乾式水銀捕集剤に吸着されて除去され、清浄な排ガスが排出される。加熱装置３０ａからの灰は加熱脱塩素化装置４０に投入され、３００〜５５０℃の範囲、望ましくは３２５〜５００℃の範囲、さらに望ましくは３５０〜４００℃の範囲で加熱処理されてダイオキシン類が分解される。加熱脱塩素化装置４０からの灰は廃棄処分される。
　なお、図２において、鎖線で囲まれた部分は本
例
　【００２４】
　図３
は廃
のさらに他の例
　また、３８は灰ホッパ、３０ａは加熱装置、３２は乾式水銀捕集装置、４０は加熱脱塩素化装置で、
図２の場合
　【００２５】
　汚泥貯槽２８からの汚泥、及び灰ホッパ３８からの灰が加熱装置３０ａに導入され、ここで、１２０〜３００℃の範囲、望ましくは２００〜３００℃の範囲で加熱処理される。この時、汚泥及び灰から水銀が揮散する。加熱装置３０ａからの揮散した水銀を含む排ガスは乾式水銀捕集装置３２に導入され、乾式水銀捕集剤に吸着されて除去され、清浄な排ガスが排出される。加熱装置３０ａからの汚泥及び灰は加熱脱塩素化装置４０に投入され、３００〜５５０℃の範囲、望ましくは３２５〜５００℃の範囲、さらに望ましくは３５０〜４００℃の範囲で加熱処理されてダイオキシン類が分解される。加熱脱塩素化装置４０からの固形物は廃棄処分される。
　なお、図３において、鎖線で囲まれた部分は本
例
１形
及び図２
　【００２６】
　つぎに試験例について説明する。ごみ焼却施設における洗煙排水汚泥の加熱過程における水銀の挙動を調べた。すなわち、図１に示すフローに従い、湿式洗煙装置からの排水に液体キレート剤としてジチオカルバミン酸型キレート剤（商品名：エポフロックレー１）を約２０ｍｇ／ｌ添加し、反応・凝集・沈殿させた汚泥を加熱し、各加熱温度での揮散水銀濃度を測定した。結果は図４の如くであった。
　また、表１に示す洗煙排水汚泥処理条件下及び水銀捕集条件下で、上記の洗煙排水汚泥を加熱処理した際に揮散する水銀を、各種の乾式水銀捕集剤にて吸着・捕集した。各水銀捕集剤による水銀捕集性能を図５に示す。なお、よう化カリウム・イオウ含浸活性炭中のよう化カリウム含有量は１０ｗｔ％、イオウ含有量は１１ｗｔ％であった。
　【００２７】
　【表１】
　【００２８】
　この結果、洗煙排水汚泥から優先的に大部分の水銀を揮散させ、乾燥後の汚泥は焼却炉に戻すことによりダイオキシン類を分解し処理することができ、さらに、揮散した水銀に対しては、乾式捕集剤としてよう化カリウム・イオウ含浸活性炭を用いた場合は９９ｗｔ％以上、一般気体用活性炭及び硫化銅を用いた場合は５０〜７０ｗｔ％の効率で水銀を捕集できることが明らかであった。
　【００２９】
　図６は捕集飛灰中の水銀揮散について試験した結果を示している。すなわち、図２に示すフローに従い、集塵装置捕集飛灰を加熱し、各加熱温度での揮散水銀濃度を測定した。捕集飛灰はキレート剤を含んでいないので、水銀の揮散温度が、洗煙排水汚泥の場合に比べて約５０℃高くなっていることがわかる。
　【００３０】
　【発明の効果】
　本発明は上記のように構成されているので、つぎのような効果を奏する。
（１）　ダイオキシン類、水銀などの有害成分を含む湿式洗煙排水汚泥を
含む排水に、キレート剤を添加して汚泥中の水銀と反応させるとともに凝集・沈殿させ、ついで、沈殿した汚泥を抜き出し、この汚泥を
る。
【図面の簡単な説明】
　【図１】
　本発明の実施の第１形態による廃棄物処理装置の系統的概略構成図である。
　【図２】
　
廃
の他の例
　【図３】
　
廃
のさらに他の例
　【図４】
　湿式洗煙排水汚泥の温度に対する水銀揮散状態を示すグラフである。
　【図５】
　各種乾式水銀捕集剤の水銀捕集性能を示すグラフである。
　【図６】
　集塵装置捕集飛灰の温度に対する水銀揮散状態を示すグラフである。
　【符号の説明】
　１０　廃棄物焼却炉
　１２　ガス冷却設備
　１４　集塵装置
　１６　湿式洗煙装置
　１８　排水受槽
　２０　反応凝集槽
　２２　沈殿槽
　２４　ろ過器
　２６　キレート樹脂塔
　２８　汚泥貯槽
　３０、３０ａ　加熱装置
　３２　乾式水銀捕集装置
　３４　汚泥ホッパ
　３６　汚泥返送手段
　３８　灰ホッパ
　４０　加熱脱塩素化装置